【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
カメラを使用して画像を撮影することと、
コンピュータのユーザの視覚方向を判定するために、前記画像と関連付けられるデータを分析することと、
前記ユーザが前記コンピュータと関連付けられるディスプレイデバイスの方を視覚的に向いていることを前記視覚方向が示すことを検出すると、前記コンピュータからコンピュータ入力デバイスへの、かつ前記コンピュータ入力デバイスから前記コンピュータへのワイヤレス接続を、確立または維持することと、
前記ユーザが前記コンピュータと関連付けられる前記ディスプレイデバイスの方を視覚的に向いていないことを前記視覚方向が示すことを検出すると、前記ワイヤレス接続を終了することと
を備える、方法。
【請求項２】
前記ユーザが前記コンピュータと関連付けられる前記ディスプレイデバイスの方を視覚的に向いていないことを前記視覚方向が示すことを検出すると、前記コンピュータ入力デバイスとの前記ワイヤレス接続を終了する前にある時間期間待機することをさらに備える、
請求項１に記載の方法。
【請求項３】
前記時間期間は、前記コンピュータに含まれるカウンタによって計測される、請求項２に記載の方法。
【請求項４】
前記ワイヤレス接続は、前記コンピュータと前記コンピュータ入力デバイスとの間の直接のワイヤレス接続である、
請求項１に記載の方法。
【請求項５】
前記コンピュータは、前記ユーザの前記視覚方向を判定するために、前記コンピュータの前記ユーザに対応するプロファイルを使用し、前記プロファイルは、前記ユーザに固有の顔認識情報を含み、前記ユーザを認証するために前記コンピュータによって使用可能である、
請求項１に記載の方法。
【請求項６】
前記プロファイルは、米国電気電子技術者協会（ＩＥＥＥ）８０２．１５．１ワイヤレスプロトコルと関連付けられる、
請求項５に記載の方法。
【請求項７】
前記プロファイルは、前記ＩＥＥＥ  ８０２．１５．１ワイヤレスプロトコルと関連付けられるプロトコルスタックの特定のレイヤと関連付けられ、前記ワイヤレス接続は、前記ＩＥＥＥ  ８０２．１５．１ワイヤレスプロトコルに準拠する、
請求項６に記載の方法。
【請求項８】
画像を撮影するためのカメラと、
コンピュータのユーザの視覚方向を判定するために、前記画像と関連付けられるデータを分析するための手段と、
前記ユーザが前記コンピュータと関連付けられるディスプレイデバイスの方に視覚的を向いていることを前記視覚方向が示すことを検出すると、前記コンピュータからコンピュータ入力デバイスへの、かつ前記コンピュータ入力デバイスから前記コンピュータへのワイヤレス接続を、確立または維持し、前記ユーザが前記ディスプレイデバイスの方を視覚的に向いていないことを前記視覚方向が示すことを検出すると、前記ワイヤレス接続を終了するための手段と
を備える、装置。
【請求項９】
前記ワイヤレス接続を前記確立または維持するための手段に、前記コンピュータ入力デバイスとの前記ワイヤレス接続を終了させる前に、ある時間期間待機させるように構成される、タイマーをさらに備える、
請求項８に記載の装置。
【請求項１０】
前記タイマーは、カウンタである、
請求項９に記載の装置。
【請求項１１】
前記ワイヤレス接続は、前記コンピュータと前記コンピュータ入力デバイスとの間の直接のワイヤレス接続である、
請求項８に記載の装置。
【請求項１２】
前記コンピュータは、前記ユーザに固有の顔認識情報を含み前記ユーザを認証するために前記コンピュータによって使用可能である、プロファイルを記憶する、
請求項８に記載の装置。
【請求項１３】
前記プロファイルは、米国電気電子技術者協会（ＩＥＥＥ）８０２．１５．１ワイヤレスプロトコルと関連付けられる、
請求項１２に記載の装置。
【請求項１４】
前記プロファイルは、前記ＩＥＥＥ  ８０２．１５．１ワイヤレスプロトコルと関連付けられるプロトコルスタックの特定のレイヤと関連付けられる、
請求項１３に記載の装置。
【請求項１５】
請求項１〜７のいずれか１項に記載の方法を行うための命令を備えるコンピュータプログラム。
【手続補正２】
【補正対象書類名】明細書
【補正対象項目名】０１２２
【補正方法】変更
【補正の内容】
【０１２２】
[00131]開示された実施形態の上記の説明は、開示された実施形態を当業者が作成または使用することを可能にするために与えられる。これらの実施形態への様々な変更は当業者にはすぐに明らかになり、本明細書で定義された原理は本開示の範囲から逸脱することなく他の実施形態に適用され得る。したがって、本開示は、本明細書で示された実施形態に限定されることは意図されず、特許請求の範囲によって定義される原理および新規の特徴と合致することが可能な最も広い範囲が与えられるべきものである。
以下に、本願出願の当初の特許請求の範囲に記載された発明を付記する。
［Ｃ１］
コンピュータのユーザの視覚方向を判定するために、カメラによって撮影される画像と関連付けられるデータを分析することと、
前記ユーザが前記コンピュータと関連付けられるディスプレイデバイスの方を視覚的に向いていることを前記視覚方向が示すことを検出すると、前記コンピュータからコンピュータ入力デバイスへの、かつ前記コンピュータ入力デバイスから前記コンピュータへのワイヤレス接続を、確立または維持することと、
前記ユーザが前記コンピュータと関連付けられる前記ディスプレイデバイスの方を視覚的に向いていないことを前記視覚方向が示すことを検出すると、前記ワイヤレス接続を終了することと
を備える、方法。
［Ｃ２］
前記ユーザが前記コンピュータと関連付けられる前記ディスプレイデバイスの方を視覚的に向いていないことを前記視覚方向が示すことを検出すると、前記コンピュータ入力デバイスとの前記ワイヤレス接続を終了する前にある時間期間待機することをさらに備える、
Ｃ１に記載の方法。
［Ｃ３］
前記時間期間は、前記コンピュータに含まれるカウンタによって計測される、Ｃ２に記載の方法。
［Ｃ４］
前記ワイヤレス接続は、前記コンピュータと前記コンピュータ入力デバイスとの間の直接のワイヤレス接続である、
Ｃ１に記載の方法。
［Ｃ５］
前記コンピュータは、前記ユーザの前記視覚方向を判定するために、前記コンピュータの前記ユーザに対応するプロファイルを使用し、前記プロファイルは、前記ユーザに固有の顔認識情報を含み、前記ユーザを認証するために前記コンピュータによって使用可能である、
Ｃ１に記載の方法。
［Ｃ６］
前記プロファイルは、米国電気電子技術者協会（ＩＥＥＥ）８０２．１５．１ワイヤレスプロトコルと関連付けられる、
Ｃ５に記載の方法。
［Ｃ７］
前記プロファイルは、前記ＩＥＥＥ  ８０２．１５．１ワイヤレスプロトコルと関連付けられるプロトコルスタックの特定のレイヤと関連付けられ、前記ワイヤレス接続は、前記ＩＥＥＥ  ８０２．１５．１ワイヤレスプロトコルに準拠する、
Ｃ６に記載の方法。
［Ｃ８］
コンピュータ入力デバイスを検出することと、前記コンピュータ入力デバイスを検出したことに応答して近接データを生成することとを行うように構成される、近接検出器と、ここにおいて、前記近接検出器は、近距離無線通信（ＮＦＣ）プロトコルを介して前記コンピュータ入力デバイスとワイヤレスに通信することを行うようにさらに構成される、
前記コンピュータ入力デバイスが前記近接検出器の所定の範囲内にあるかどうかを判定するために、前記近接データを分析することを行うように構成される、近接分析器と、
前記近接分析器に結合され、前記コンピュータ入力デバイスが前記所定の範囲内にあると前記近接分析器が判定すると、前記コンピュータ入力デバイスとのワイヤレス接続を確立または維持することを行うように構成され、前記コンピュータ入力デバイスが前記所定の範囲内にないと前記近接分析器が判定すると、前記ワイヤレス接続を終了することを行うようにさらに構成される、ワイヤレストランシーバと
を備える、装置。
［Ｃ９］
画像を撮影するように構成されるカメラと、
前記画像のデータを分析して、ユーザの視覚方向を判定することを行うように構成される画像分析器と
をさらに備え、
前記ワイヤレストランシーバは、前記ユーザが前記装置と関連付けられるディスプレイデバイスの方を視覚的に向いていることを前記視覚方向が示すことを検出すると、前記ワイヤレス接続を確立または維持することを行うようにさらに構成され、
前記ワイヤレストランシーバは、前記ユーザが前記ディスプレイデバイスの方を視覚的に向いていないことを前記ユーザと関連付けられる前記視覚方向および最後の視線の動きが示すことを検出すると、前記ワイヤレス接続を終了することを行うようにさらに構成される、
Ｃ８に記載の装置。
［Ｃ１０］
前記トランシーバは、前記コンピュータ入力デバイスが前記所定の範囲内にないことを検出した後で、前記コンピュータ入力デバイスとの前記ワイヤレス接続を終了する前に、ある時間期間待機することを行うようにさらに構成される、
Ｃ８に記載の装置。
［Ｃ１１］
前記コンピュータ入力デバイスは、第２のコンピュータ入力デバイスと関連付けられ、前記ワイヤレストランシーバは、前記コンピュータ入力デバイスが前記所定の範囲内にあると前記近接分析器が判定すると、前記第２のコンピュータ入力デバイスとの第２のワイヤレス接続を確立または維持することを行うようにさらに構成され、前記ワイヤレストランシーバは、前記コンピュータ入力デバイスが前記所定の範囲内にないと前記近接分析器が判定すると、前記第２のコンピュータ入力デバイスとの前記第２のワイヤレス接続を終了することを行うようにさらに構成される、
Ｃ８に記載の装置。
［Ｃ１２］
ユーザから入力を受け取るように構成されるユーザ入力部分と、
前記ユーザ入力部分に結合される無線デバイスと、ここにおいて、前記無線デバイスは、第１のワイヤレス接続を介して第１のコンピュータと通信するように構成され、第２のワイヤレス接続を介して第２のコンピュータと通信することを行うようにさらに構成される、
バッファと、ここにおいて、前記バッファは、前記第１のコンピュータから受信されたデータをバッファリングするように構成される、
前記無線デバイスおよび前記バッファに結合されるルーティング論理と
を備え、前記ルーティング論理は、前記バッファに記憶された前記データが前記第２のコンピュータへ転送されるようにするように構成される、
装置。
［Ｃ１３］
前記バッファは、前記データが閾値を超えないデータサイズを有するとき、前記データをバッファリングするようにさらに構成され、前記ルーティング論理は、前記無線デバイスに、前記バッファリングされたデータを、前記第２のワイヤレス接続を介して前記第２のコンピュータへ送信させることを行うようにさらに構成される、
Ｃ１２に記載の装置。
［Ｃ１４］
前記無線デバイスは、前記データサイズが前記閾値を超えるときに、前記データを前記第２のコンピュータへ直接転送するように前記第１のコンピュータに要求することを行うようにさらに構成される、
Ｃ１３に記載の装置。
［Ｃ１５］
コンピュータ入力デバイスに統合される、
Ｃ１２に記載の装置。
［Ｃ１６］
前記コンピュータ入力デバイスは、マウス、キーボード、トラックボール、およびゲームコントローラ、またはこれらの組合せである、
Ｃ１５に記載の装置。
［Ｃ１７］
前記ユーザの視覚方向の変化、前記第１のコンピュータに対する前記コンピュータ入力デバイスの近接の変化、またはこれらの組合せに応答して前記第１のワイヤレス接続が終了されたことに応答して、前記無線デバイスにスリープモードへ入らせることを行うように構成される、スリープモード論理をさらに備える、
Ｃ１５に記載の装置。
［Ｃ１８］
時間期間を計測し、前記ユーザからの入力を前記時間期間内に検出しなかったことに応答して前記無線デバイスを前記スリープモードへ入らせることを行うように構成される、タイマーをさらに備える、
Ｃ１７に記載の装置。
［Ｃ１９］
前記ユーザ入力部分は、位置センサを含み、前記スリープモード論理は、前記位置センサが第２の時間期間内に前記コンピュータ入力デバイスの位置の変化を感知しないと、前記無線デバイスに前記スリープモードへ入らせることを行うようにさらに構成される、Ｃ１８に記載の装置。
［Ｃ２０］
第１のコンピュータに記憶されたデータを第２のコンピュータに送信するための要求を、第１のワイヤレス接続を介してコンピュータ入力デバイスから前記第１のコンピュータにおいて受信することと、ここにおいて、前記要求は、前記データが閾値を超えるデータサイズを有するかどうかを特定する、
前記データサイズが前記閾値を超えるとき、前記データを、前記第１のコンピュータと前記第２のコンピュータとの間の第２のワイヤレス接続を介して、前記第２のコンピュータに送信することと、
前記データサイズが前記閾値を超えないとき、前記データを前記コンピュータ入力デバイスに送信することと
を備える、方法。
［Ｃ２１］
前記データサイズが前記閾値を超えるとき、メッセージを前記第２のコンピュータに送信することと、ここにおいて、前記メッセージは、前記データの位置を示す、
前記位置にアクセスするためのアクセス要求を前記第２のコンピュータから受信することと
をさらに備える、Ｃ２０に記載の方法。
［Ｃ２２］
前記第１のワイヤレス接続と前記第２のワイヤレス接続の１つまたは複数は、米国電気電子技術者協会（ＩＥＥＥ）８０２．１５．１ワイヤレスプロトコルに準拠する、Ｃ２０に記載の方法。
［Ｃ２３］
前記閾値は、前記コンピュータ入力デバイスのバッファの容量に基づく、Ｃ２０に記載の方法。
［Ｃ２４］
前記第２のワイヤレス接続は、安全な通信チャネルである、
Ｃ２０に記載の方法。
［Ｃ２５］
プロセッサに、
コンピュータのユーザの視覚方向を判定するために、カメラによって撮影される画像と関連付けられるデータを分析することと、
前記ユーザが前記コンピュータと関連付けられるディスプレイデバイスの方を視覚的に向いていることを前記視覚方向が示すことを検出すると、前記コンピュータからコンピュータ入力デバイスへの、かつ前記コンピュータ入力デバイスから前記コンピュータへのワイヤレス接続を、確立または維持することと、
前記ユーザが前記コンピュータと関連付けられる前記ディスプレイデバイスの方を視覚的に向いていないことを前記視覚方向が示すことを検出すると、前記ワイヤレス接続を終了することと
を行わせるように、コンピュータのプロセッサによって実行可能な命令を記憶する、コンピュータ可読非一時的記憶媒体。
［Ｃ２６］
前記命令は、前記ユーザが前記ディスプレイデバイスの方を視覚的に向いていないことを前記視覚方向が示すことを検出した後で、前記ワイヤレス接続を終了する前に、ある時間期間待機することを行うように前記プロセッサによって実行可能である、Ｃ２５に記載のコンピュータ可読非一時的記憶媒体。
［Ｃ２７］
前記コンピュータは、前記ユーザの前記視覚方向を判定するために、前記コンピュータの前記ユーザに対応するプロファイルを使用し、前記プロファイルは、前記ユーザに固有の顔認識情報を含み、前記ユーザを認証するために前記コンピュータによって使用可能である、
Ｃ２５に記載のコンピュータ可読非一時的記憶媒体。
［Ｃ２８］
前記プロファイルは、米国電気電子技術者協会（ＩＥＥＥ）８０２．１５．１ワイヤレスプロトコルと関連付けられる、
Ｃ２７に記載のコンピュータ可読非一時的記憶媒体。
［Ｃ２９］
前記プロファイルは、ＩＥＥＥ  ８０２．１５．１ワイヤレスプロトコルと関連付けられるプロトコルスタックの特定のレイヤと関連付けられる、
Ｃ２８に記載のコンピュータ可読非一時的記憶媒体。
［Ｃ３０］
前記ワイヤレス接続は、米国電気電子技術者協会（ＩＥＥＥ）８０２．１５．１ワイヤレスプロトコルに準拠する、
Ｃ２５に記載のコンピュータ可読非一時的記憶媒体。
［Ｃ３１］
コンピュータのユーザの視覚方向を判定するために、カメラによって撮影される画像と関連付けられるデータを分析するための手段と、
前記ユーザが前記コンピュータと関連付けられるディスプレイデバイスの方に視覚的を向いていることを前記視覚方向が示すことを検出すると、前記コンピュータからコンピュータ入力デバイスへの、かつ前記コンピュータ入力デバイスから前記コンピュータへのワイヤレス接続を、確立または維持するための手段と、前記ユーザが前記ディスプレイデバイスの方を視覚的に向いていないことを前記視覚方向が示すことを検出すると、前記ワイヤレス接続を終了するための手段と
を備える、装置。
［Ｃ３２］
前記ワイヤレス接続を前記確立または維持するための手段に、前記コンピュータ入力デバイスとの前記ワイヤレス接続を終了させる前に、ある時間期間待機させるように構成される、タイマーをさらに備える、
Ｃ３１に記載の装置。
［Ｃ３３］
前記タイマーは、カウンタである、
Ｃ３２に記載の装置。
［Ｃ３４］
前記ワイヤレス接続は、前記コンピュータと前記コンピュータ入力デバイスとの間の直接のワイヤレス接続である、
Ｃ３１に記載の装置。
［Ｃ３５］
前記コンピュータは、前記ユーザに固有の顔認識情報を含み前記ユーザを認証するために前記コンピュータによって使用可能である、プロファイルを記憶する、
Ｃ３１に記載の装置。
［Ｃ３６］
前記プロファイルは、米国電気電子技術者協会（ＩＥＥＥ）８０２．１５．１ワイヤレスプロトコルと関連付けられる、
Ｃ３５に記載の装置。
［Ｃ３７］
前記プロファイルは、前記ＩＥＥＥ  ８０２．１５．１ワイヤレスプロトコルと関連付けられるプロトコルスタックの特定のレイヤと関連付けられる、
Ｃ３６に記載の装置。
［Ｃ３８］
前記ワイヤレス接続は、電気電子技術者協会（ＩＥＥＥ）８０２．１５．１ワイヤレスプロトコルに準拠する、
Ｃ３１に記載の装置。
［Ｃ３９］
ユーザと関連付けられる目の視線の動きと、コンピュータ入力デバイスと関連付けられるマウスポインタの動きとを使用して、２つのコンピュータディスプレイの相対的な物理位置を自動的に決定することと、
前記２つのコンピュータディスプレイの前記相対的な物理位置を示すデータを記憶することと
を備える、方法。
［Ｃ４０］
前記コンピュータ入力デバイスの物理移動を検出すると、前記コンピュータ入力デバイスを起動することと、入来する接続要求を受信するために、コンピュータ入力デバイスをページスキャンモードにさせることと
をさらに備える、Ｃ３９に記載の方法。
［Ｃ４１］
１つまたは複数の近接センサからの情報によって示される動きの向きに基づいて、２つのコンピュータディスプレイの相対的な物理位置を自動的に決定することと、
前記２つのコンピュータディスプレイの前記相対的な物理位置を示すデータを記憶することと
を備える、方法。
［Ｃ４２］
コピー操作に基づいて、第１のコンピュータからバッファにデータをコピーするためのユーザからの入力を受け取るように構成される、ユーザ入力部分と、
前記ユーザ入力部分が貼り付け操作を示す入力を受け取ったことに応答して、前記第１のコンピュータから前記データを受信し、情報を第２のコンピュータに送信するように構成される、無線デバイスと
を備える、装置。
［Ｃ４３］
コピー操作に基づいて、第１のコンピュータからバッファにデータをコピーするためのユーザからの入力を受け取るように構成される、ユーザ入力部分と、
前記ユーザ入力部分が貼り付け操作を示す入力を受け取ったことに応答して、第２のコンピュータに、前記データに対する要求を前記第１のコンピュータへ送信させるように構成される、無線デバイスと
を備える、装置。
［Ｃ４４］
前記無線デバイスは、前記データと関連付けられるアドレスを前記第１のコンピュータから受信することと、前記第２のコンピュータから前記貼り付け操作のインジケーションを受信すると、前記アドレスを前記第２のコンピュータに送信することと、前記データに対する要求を前記第１のコンピュータに送信するために、前記第２のコンピュータが前記第１のコンピュータとの直接のワイヤレス接続を確立することと
を行うようにさらに構成される、Ｃ４３に記載の装置。
［Ｃ４５］
前記第２のコンピュータから前記データに対する前記要求を受信すると、前記第１のコンピュータは、前記第２のコンピュータからの認証情報またはユーザ情報を要求する、Ｃ４４に記載の装置。